(57)【特許請求の範囲】
【請求項１】
既に構築された既設コンクリート構造体である床スラブと、前記床スラブの上部に新たに構築される新設コンクリート構造体との間に設けられるスリット内に、設置される積層目地材であって、
材質が異なる第１層と第２層と第３層とを含んで構成される積層体であり、
前記第１層は、前記第２層に比して高い耐火性能を備えた材料からなり、
前記第２層は、前記第１層のうち、前記床スラブと接する側に積層され、前記第１層に比して高い弾性を備えた材料からなり、
前記第３層は、前記第２層と積層された該第１層のうち、前記新設コンクリート構造体と接する側に積層され、該第１層に比して引っ張り強度が強く、かつ加圧されて歪んだ状態から該加圧がなくなって元の平面状態へ戻る復元力が該第１層に比して強い性質を有する材料からなる
ことを特徴とする積層目地材。
【請求項２】
前記第３層は、前記第１層及び前記第２層のそれぞれに比して薄層である、
ことを特徴とする請求項１に記載の積層目地材。
【請求項３】
前記積層体は、さらに、前記第３層と同一の前記性質を有する材料からなる第４層を含み、
前記第４層は、前記第１層及び前記第２層のそれぞれに比して薄層であって、前記第１層と前記第２層との間に形成されている
ことを特徴とする請求項１または２に記載の積層目地材。
【請求項４】
既に構築された既設コンクリート構造体である床スラブと、前記床スラブの上部に新たに構築される新設コンクリート構造体との間に設けられるスリット内に、積層目地材が設置されたスリット構造であって、
前記積層目地材は、材質が異なる第１層と第２層と第３層とを含んで構成される積層体であって、第１層は、前記第２層に比して高い耐火性能を備えた材料からなり、第２層は、前記第１層のうち、前記床スラブと接する側に積層され、第１層に比して高い弾性を備えた材料からなり、前記第３層は、前記第２層と積層された該第１層のうち、前記新設コンクリート構造体と接する側に積層され、該第１層に比して引っ張り強度が強く、かつ加圧されて歪んだ状態から該加圧がなくなって元の平面状態へ戻る復元力が該第１層に比して強い性質を有する材料からなり、
前記積層目地材で封止されたことを特徴とする積層目地材を備えたスリット構造。
【請求項５】
既に構築された既設コンクリート構造体である床スラブと、前記床スラブの上部に新たに構築される新設コンクリート構造体と、の間に設けられるスリットの施工方法において、
前記床スラブに、積層目地材を設置する目地材設置工程と、
前記目地材を設置した状態で、コンクリートを打設するコンクリート打設工程と、を備え、
前記積層目地材は、材質が異なる第１層と第２層と第３層とを含んで構成される積層体であって、第１層は、前記第２層に比して高い耐火性能を備えた材料からなり、第２層は、前記第１層のうち、前記床スラブと接する側に積層され、第１層に比して高い弾性を備えた材料からなり、前記第３層は、前記第２層と積層された該第１層のうち、前記新設コンクリート構造体と接する側に積層され、該第１層に比して引っ張り強度が強く、かつ加圧されて歪んだ状態から該加圧がなくなって元の平面状態へ戻る復元力が該第１層に比して強い性質を有する材料からなり、
前記目地材設置工程では、前記床スラブの目地材設置面に、前記積層目地材の第２層側の面が配置されることを特徴とするスリットの施工方法。
【発明の詳細な説明】
【技術分野】
【０００１】
本願発明は、集合住宅などで代表されるコンクリート建造物を構成する、壁体、柱部、梁部、床部など（以下、これらを総称して「コンクリート構造体」という。）が、相互に隣接する部分に設置される目地材に関するものである。より具体的には、２種の素材を含む積層目地材、その積層目地材が設置されたスリット構造、及びそのスリット構造の施工方法に関するものである。
【背景技術】
【０００２】
我が国は地震が頻発する国として知られ、近年では、東北地方太平洋沖地震や、兵庫県南部地震、新潟県中越地震など大きな地震が発生し、そのたびに甚大な被害を被っている。一方で、オフィスビルやマンションなどコンクリート建造物の高層化は進み、その結果、耐震構造や免震構造など地震への対策技術も進んできた。
【０００３】
コンクリート建造物の地震対策の一つとして、壁体を天井側スラブで吊り下げる「吊り下げ工法」が知られている。図７は、この吊り下げ工法によって構築された壁体を示す正面図である。この図に示すように、壁体ａは天井スラブｂによってのみ固定され、下端側の床スラブｃ並びに両側の柱部ｄとは、狭小な隙間であるスリットｅを設けることで、不連続な構造（いわゆる、「縁切り」）としている。このように、壁体ａと周囲のコンクリート構造体とが「縁切り」されているので、例えば柱部ｄは地震時に独立して挙動する結果、壁体ａの挙動によって曲げモーメントやせん断力を受けることがない。
【０００４】
図７に示すスリットｅには、通常、壁体ａと同等の防水性、防塵性、防音性等を確保する目的で、目地材が設置される。図７では、壁体ａ下部のスリットｅに水平配置の目地材ｆが設置され、壁体ａ両側部のスリットｅには鉛直配置の目地材ｆが設置されている。これら目地材ｆは、防水性、防塵性、防音性等を確保するため、スリットｅを封止すべく、その空間を埋めるように配置される。
【０００５】
また、目地材ｆは、スリットｅ内を封止するほか、壁体ａのコンクリート打設時に型枠としても使用されることから、耐火性、耐水性、所定の強度及び弾性、といった性能が要求される。すなわち、耐火性は、火災時における延焼を防ぐために必要とされる性能であり、耐水性は、完成時の漏水を防ぐとともにコンクリート打設時に不要な水分を吸収しないためにも必要とされる性能である。また図７に示すように、壁体ａの下部に配置される目地材ｆは、壁体ａのコンクリート打設時にフレッシュコンクリート（まだ固まらないコンクリート）重量を支えるため所定の圧縮強度が要求される。さらに、コンクリート硬化後、天井スラブｂに吊り下げられる壁体ａは、乾燥収縮等によって上側に縮む（短くなる）結果スリットｅの間隔は広がるが、スリットｅ内を封止するためにはこの変形に追随し得るという性能も要求される。つまり目地材ｆは、壁体ａコンクリート打設に伴う圧縮変形が可能であって、しかもコンクリート硬化後の膨張変形が可能である、といった所定の変形性能（以下、ここでは「弾性」という。）も要求される。
【０００６】
例えば、耐火性、耐水性、所定の強度及び弾性といった各種性能を発揮する目地材ｆとして、図８に示すような目地材ｆがある（例えば、特許文献１。）。図８は、図７に示すＹ−Ｙ矢視断面図であり、積層状の目地材ｆの詳細図である。この図に示す目地材ｆは、第１層体ｆ１と、第２層体ｆ２からなる積層体である。すなわち、平面視では略同形である板状の第１層体ｆ１と板状の第２層体ｆ２とを、上下方向（鉛直スリットｅに設置する場合は左右方向）に重ね合わせて一体に形成されている。
【０００７】
第１層体ｆ１は、高い耐火性を備えた材料からなるものであり、火炎の侵入・侵出を防止することができる。第１層体ｆ１の材料を例示すれば、炭酸カルシウム発泡体、ロックウール、セラミックファイバー、ケイ酸カルシウムなどが挙げられる。
【０００８】
第２層体ｆ２は、高い弾性を備えた材料からなるものであり、隣接するコンクリートの打設時荷重や乾燥収縮時の変形にも追随することができる。さらに、既構築コンクリート構造体の不陸面を目地材設置面とする場合であっても、第２層体ｆ２の高い弾性によってこの不陸に対応して、スリットの空隙を封止することが可能である。第２層体ｆ２は、高い耐水性を備えた材料からなるものであり、外部からの水の侵入を防止することができる。第２層体ｆ２は、耐水性能と適当な弾性が要求される。これらの性能を満足する材料としては、ポリエチレン（ＰＥ）やポリプロピレン（ＰＰ）といった樹脂を例示することができる。
【先行技術文献】
【特許文献】
【０００９】
【特許文献１】特開２０１３−６８００９号公報
【発明の概要】
【発明が解決しようとする課題】
【００１０】
上述の通り、目地材は、火炎の侵入・侵出を防いだり、外部からの水の侵入を防止したり、さらに、防塵、防音のために、隙間をなくすようにスリットの空間を十分に埋めることが求められる。そこで、一時的に加圧された形状が元の状態にどの程度復元するかを評価する形状復元評価試験が行われる。形状回復性能試験では、例えば、目地材の平面に対して垂直方向から２ｃｍ角の鉄の棒を、２１Ｎの力で目地材の平面部分に押し付けた後にその押し付けをやめ、押し付けた目地材の表面部分が所定時間でどの程度まで平面形状に回復するかが判定される。
【００１１】
しかしながら、上述の目地材ｆでは、押し付けた目地材の表面部分が所定時間で元の平面形状の７０％までしか復元しない。そのため、スリットに目地材ｆを設置してスリットを封止しても、加圧よりにより一時的に目地材の形状が変化した場合、その加圧の跡が残り、目地材が充填されているスリットに空間（隙間）でできる。そうすると、その隙間から、火や水、塵、音等が漏れ出て、防火、防水、防塵、防音等の機能が低下することになる。
【００１２】
そこで、本発明では、外部からの圧力により一時的に形状が変形しても、元の状態に容易に復元可能な目地材を提供する。
【課題を解決するための手段】
【００１３】
本発明の一実施形態に係る、コンクリート構造体と他のコンクリート構造体と間に設けられるスリット内に、設置される積層目地材は、材質が異なる第１層と第２層と第３層を含んで構成される積層体であり、前記第１層は、前記第２層に比して高い耐火性能を備えた材料からなり、前記第２層は、前記第１層に比して高い弾性を備えた材料からなり、前記第３層は、前記第２層と積層された該第１層のうち、該第２層と対抗する面とは異なる面に積層され、該第１層に比して引っ張り強度が強く、かつ加圧されて歪んだ状態から該加圧がなくなって元の平面状態へ戻る復元力が該第１層に比して強い性質を有する材料からなることを特徴とする。
【００１４】
前記第３層は、前記第１層及び前記第２層のそれぞれに比して薄層である、ことを特徴とする。
【００１５】
前記積層体は、さらに、前記第３層と同一の前記性質を有する材料からなる第４層を含み、前記第４層は、前記第１層及び前記第２層のそれぞれに比して薄層であって、前記第１層と前記第２層との間に形成されていることを特徴とする。
【００１６】
本発明の別の実施形態に係る、コンクリート構造体と他のコンクリート構造体と間に設けられるスリット内に、積層目地材が設置されたスリット構造は、前記積層目地材は、材質が異なる第１層と第２層と第３層とを含んで構成される積層体であって、第１層は前記第２層に比して高い耐火性能を備えた材料からなり、第２層は第１層に比して高い弾性を備えた材料からなり、前記第３層は、前記第２層と積層された該第１層のうち、該第２層と対抗する面とは異なる面に積層され、該第１層に比して引っ張り強度が強く、かつ加圧されて歪んだ状態から該加圧がなくなって元の平面状態へ戻る復元力が該第１層に比して強い性質を有する材料からなり、前記積層目地材で封止されたことを特徴とする。
【００１７】
本発明の別の実施形態に係る、既に構築された既構築コンクリート構造体と、新たに新設コンクリート構造体を構築するコンクリート構造体と、の間に設けられるスリットの施工方法は、前記既構築コンクリート構造体に、積層目地材を設置する目地材設置工程と、前記目地材を設置した状態で、前記新設コンクリートを打設するコンクリート打設工程と、を備え、前記積層目地材は、材質が異なる第１層と第２層と第３層とを含んで構成される積層体であって、第１層は前記第２層に比して高い耐火性能を備えた材料からなり、第２層は第１層に比して高い弾性を備えた材料からなり、前記第３層は、前記第２層と積層された該第１層のうち、該第２層と対抗する面とは異なる面に積層され、該第１層に比して引っ張り強度が強く、かつ加圧されて歪んだ状態から該加圧がなくなって元の平面状態へ戻る復元力が該第１層に比して強い性質を有する材料からなり、前記目地材設置工程では、前記既構築コンクリート構造体の目地材設置面に、前記積層目地材の第２層側の面が配置されることを特徴とする。
【発明の効果】
【００１８】
本発明によれば、外部からの圧力により一時的に形状が変形しても、元の状態に容易に復元可能な目地材を提供することができる。
【図面の簡単な説明】
【００１９】
【図１】吊り下げ工法によって構築される壁体に、本願発明の積層目地材が設置された状態を示す正面図。
【図２】図１に示すＸ−Ｘ矢視断面図であり、積層目地材の構成を説明する詳細図（実施例１）。
【図３】積層目地材３０の長手方向に対する垂直方向から加えた圧力をなくした場合に、元の水平状態に戻る様子を説明する図（実施例１）。
【図４】図１に示すＸ−Ｘ矢視断面図であり、積層目地材の構成を説明する詳細図（実施例２）。
【図５】積層目地材３０の長手方向に対する垂直方向から加えた圧力をなくした場合に、元の水平状態に戻る様子を説明する図（実施例２）。
【図６】（ａ）は床スラブが構築された段階を示す第１ステップ図、（ｂ）は床スラブ上に積層目地材が設置された段階を示す第２ステップ図、（ｃ）は壁体と柱部が立ち上がった段階を示す第３ステップ図。
【図７】吊り下げ工法によって構築された壁体を示す正面図。
【図８】図１１に示すＹ−Ｙ矢視断面図であり、従来の目地材の詳細図。
【発明を実施するための形態】
【００２０】
［実施形態］
本願発明の積層目地材、積層目地材を備えたスリット構造、及びその施工方法の一実施形態を図に基づいて説明する。
【００２１】
まず、本願発明の積層目地材が設置された状態について簡単に説明する。図１は、吊り下げ工法によって構築される壁体に、本願発明の積層目地材が設置された状態を示す正面図である。なお図１は、設置された目地材を除いて図６と同様であり、図６と共通するものは同じ符番を付している。前記したとおり、吊り下げ工法では壁体ａが天井スラブｂによってのみ固定されている（図１では、天井スラブｂと壁体ａとの境界に破線を引いているが実際には一体構造である）。そして、壁体ａと床スラブｃの間には水平スリット１０が設けられ、壁体ａと両側の柱部ｄの間にはそれぞれ鉛直スリット２０が設けられている。これらスリットを設けることによって、壁体ａに作用する荷重は、直接的には周囲のコンクリート構造体に作用することがなく、地震時には、壁体ａと他のコンクリート構造体はそれぞれ独立して挙動する。つまり、柱部ｄなど他のコンクリート構造体が、壁体ａの挙動による曲げモーメントやせん断力を受けることがない。
【００２２】
水平スリット１０は、極小ではあるが壁体ａと床スラブｃの間に形成された空間である。この空間のままの状態を完成形とすると、この空間から不要なものが侵入することとなり、音も漏れる。そのため、つまり壁体ａと同等の防水性、防塵性、防音性等を確保するため、水平スリット１０には積層目地材３０がその空間を充填するように設置される。同様に、鉛直スリット２０には普通目地材４０が設置される。なお、便宜上、図１では水平スリット１０にのみ積層目地材３０を設置しているが、鉛直スリット２０に積層目地材３０を設置することもできる。また、ここでは吊り下げ工法の場合を例示して説明しているが、本願発明はこの工法に限定されるものではなく、コンクリート構造体が相互に隣接する部分、例えば、腰壁やたれ壁の垂直取り合い部分、あるいは帆立て壁の水平取り合い部分など、種々のコンクリート構造体隣接部分で実施できる。
【００２３】
（積層目地材）
次に、積層目地材３０の構成について詳細に説明する。図２は、図１に示すＸ−Ｘ矢視断面図（実施例１）であり、積層目地材３０の構成を説明する詳細図である。図３は、積層目地材３０の長手方向に対する垂直方向から加えた圧力をなくした場合に、元の水平状態に戻る様子を説明する図（実施例１）である。
【００２４】
図１や図２に示すように、積層目地材３０は板状を呈している。その平面形状を見ると略長方形であり、短手方向の寸法（幅）は壁体ａの厚さと略等しく、長手方向の寸法（長さ）は柱部ｄ間の寸法に略等しい。もちろん、本願発明の積層目地材３０はこのような形状に限定されるわけではなく、特に長さについては柱部ｄ間の寸法より短いものとすることもできる。例えば、柱部ｄ間の寸法が６ｍの場合、積層目地材３０の長さを２ｍとして、柱部ｄ間にこれを３つ直列配置することもできる。
【００２５】
また、積層目地材３０の厚さは、壁体ａと床スラブｃとの離隔、つまり水平スリット１０の高さと略同等、もしくはこれより若干厚い程度とするのがよい。これは、水平スリット１０の空間を確実に封止し、壁体ａと同等の防水性、防塵性、防音性等を確保するためである。例えば、水平スリット１０の高さは壁体ａの高さの１／１００程度である場合、壁体ａが階高程度（約３ｍ）であれば水平スリット１０の高さは３０ｍｍ程度としてもよい。すなわち、この場合の積層目地材３０の厚さは、３０ｍｍ程度としてもよい。
【００２６】
本実施形態では、積層目地材３０のバリエーションとして、以下に２つの実施例を説明する。
【００２７】
実施例１として、図２に示すように、第１層体３１と、第２層体３２と、第３層体３３とからなる積層目地材３０について説明する。積層目地材３０は、平面視では略同形である板状の第１層体３１と、板状の第２層体３２と、板状の第３層体３３とを、上下方向（鉛直スリット２０に設置する場合は左右方向）に重ね合わせて一体に形成されている。
【００２８】
積層目地材３０を構成する第１層体３１、第２層体３２、及び第３層体３３は、それぞれ要求される性能が異なることから、それぞれ異なる材料を使用している。
【００２９】
第１層体３１は、耐火性能が要求されることから、優れた耐火性を具備する材料で形成される。その材料を例示すれば、炭酸カルシウム発泡体、ロックウール、セラミックファイバー、ケイ酸カルシウムなどが挙げられる。このほか、鉄や合金など金属類も挙げられるが、製造コストの面や重さによる施工性の面で、その採用には慎重な検討を要する。炭酸カルシウム発泡体は、優れた耐火性のほか、適当な圧縮強度を備えるとともに、柔軟に変形し得る弾性も備えていることから、第１層体３１として望ましい材質といえる。
【００３０】
積層目地材３０を構成する第２層体３２は、耐水性能と適当な弾性が要求される。これらの性能を満足する材料としては、ポリエチレン（ＰＥ）やポリプロピレン（ＰＰ）といった樹脂を例示することができる。さらに、より柔軟に変形し得る弾性を発揮させるためには、ＰＥやＰＰの発泡体の採用が適しており、より望ましくは３０〜４０倍発泡させたものがよい。このように高い弾性を必要とするのは、後に説明するように、積層目地材３０を設置する面の不陸に対応するためであり、より具体的には、積層目地材３０設置面の凹凸に合わせて柔軟に変形して凹部内に生ずる空隙を確実に充填するためである。
【００３１】
上記のとおり、第１層体３１は耐火性能が要求され、第２層体３２は耐水性能と適当な弾性が要求される。換言すれば、第１層体３１は必ずしも耐水性能及び適当な弾性を必要とせず、第２層体３２は必ずしも耐火性能を必要としないわけであるが、もちろん、第１層体３１が耐水性能や適当な弾性を具備し、第２層体３２が耐火性能を具備するものであってもよい。
【００３２】
図２に示すように、第２層体３２は、第１層体３１に比べてその厚さを薄くすることができる。第２層体３２を薄肉とするのは、火災の際に第２層体３２が焼失した場合でも、その隙間から火炎の侵入や侵出を防ぐためである。
【００３３】
第３層体３３は、第１層体３１や第２層体３２に比べて薄層であり、長手方向における両端からの引っ張りに強く、かつ弾性力を有している。そのため、第３層体３３は、長手方向の垂直方向（積層方向）から圧力がかかって、一時的に撓んでも、その圧力がなくなれば元の水平状態またはそれに近い状態まで復元する性質を有する。第３層体３３の一例としては、紙等のセルロース材で形成される薄い繊維状の部材が挙げられる。第３層体３３は、例えば、粘着剤または接着剤を用いて、第１層体３１の表面に貼付されている。
【００３４】
例えば、積層目地材３０の長手方向の長さが１〜２ｍ、積層目地材３０の幅（奥行）が１２０ｍｍ〜３００ｍｍ、積層目地材３０の厚さが２５〜５０ｍｍの範囲の場合、第３層体３３の厚さは、０．０５〜０．１ｍｍの範囲であってもよい。例えば、より具体的には、積層目地材３０の長手方向の長さが２ｍ、積層目地材３０の幅（奥行）が１５０ｍｍ、第１層体３１の厚さが２０ｍｍ、第２層体の厚さが５ｍｍの範囲の場合、第３層体３３の厚さは、０．０８ｍｍであってもよい。
【００３５】
例えば、積層目地材３０は、初期状態として、図３の上図の状態にあるとする。この状態（図３の上図）で、積層方向から積層目地材３０に圧力を加えると、図３の下図に示すように、第３層体３３、第１層体３１が下方に押しつぶされ、積層目地材３０の上表面は曲がる。その圧力がなくなると、図３の上図に示すように、第３層体３３、第１層体３１は元の水平状態またはそれに近い状態まで復元する。このとき、第１層体３１だけでは、元の水平状態またはそれに近い状態まで十分に復元できないが、第３層体３３の弾性力で第３層体３３が水平状態に戻るのに伴い、第３層体３３が貼付している第１層体３１の上表面も引っ張り上げられて元の水平状態またはそれに近い状態まで十分に復元される。
【００３６】
また、形状回復性能試験では、押し付けた目地材の表面部分が所定時間で元の平面形状の９０％以上復元するという結果が得られた。
【００３７】
このように、積層方向の加圧に応じた第３層体３３の復元しようとする動作に応じて、第３層体３３が貼付された第１層体３１も強制的に第３層体３３の動作に追随する。その結果、積層方向から加えた圧力を取り除いた際に元の水平状態またはそれに近い状態まで早期に戻り易くなる。したがって、その押さえつけた跡が残り難くなり、目地材が重点されたスリットに空間ができにくく、火炎・水・塵・音等の侵入・侵出を防止することができる。
【００３８】
上記の実施例１では、第１層体３１の上表面にのみ第３層体３３を貼付した積層目地材３０（片面貼り）について説明した。実施例２では、第１層体３１の上下表面に第３層体３３を貼付した積層目地材３０（両面貼り）について説明する。
【００３９】
図４は、図１に示すＸ−Ｘ矢視断面図（実施例２）であり、積層目地材３０の構成を説明する詳細図である。図５は、積層目地材３０の長手方向に対する垂直方向から加えた圧力をなくした場合に、元の水平状態に戻る様子を説明する図（実施例２）である。
【００４０】
図４に示す積層目地材３０は、図２の第１層体３１と第２層体３２との間に、第４層体３４を挿入したものである。第４層体３４は、第３層体３３と同様に、第１層体３１や第２層体３２に比べて薄層であり、長手方向における両端からの引っ張りに強く、かつ弾性力を有している。なお、第３層体３３と第４層体３４とは、そのような性質が同じであれば、同一の材料であってもよいし、異なるものであってもよい。
【００４１】
例えば、積層目地材３０の長手方向の長さが１〜２ｍ、積層目地材３０の幅（奥行）が１２０ｍｍ〜３００ｍｍ、積層目地材３０の厚さが２５〜５０ｍｍの範囲の場合、第３層体３３及び第４層体３４の厚さは、０．０５〜０．１ｍｍの範囲であってもよい。例えば、より具体的には、積層目地材３０の長手方向の長さが２ｍ、積層目地材３０の幅（奥行）が１５０ｍｍ、第１層体３１の厚さが２０ｍｍ、第２層体の厚さが５ｍｍの範囲の場合、第３層体３３及び第４層体３４の厚さは、０．０８ｍｍであってもよい。
【００４２】
第４層体３４は、例えば、粘着剤または接着剤を用いて、第１層体３１と第２層体３２との間に貼付されている。この状態（図５の上図）で、積層方向から積層目地材３０に実施例１の時よりも高い圧力を加えると、図５の下図に示すように、第３層体３３、第１層体３１、第４層体３４、及び第２層体３２が下方に押しつぶされ、積層目地材３０の上表面は曲がる。その圧力がなくなると、図５の上図に示すように、第３層体３３、第１層体３１、第４層体３４、第２層体３２は元の水平状態またはそれに近い状態まで復元する。
【００４３】
このとき、第１層体３１だけでは、元の水平状態またはそれに近い状態まで十分に復元できないが、第３層体３３及び第４層体３４の弾性力で第３層体３３及び第４層体３４が水平状態に戻るのに伴い、第３層体３３及び第４層体３４が貼付している第１層体３１、第２層体３２の上表面も引っ張り上げられて元の水平状態またはそれに近い状態まで十分に復元される。
【００４４】
特に、実施例１と比べて、実施例２では、第３層体３３に加え、第４層体３４も用いているから、復元力も実施例１より強く、元の水平状態またはそれに近い状態までより早期に復元することができる。
【００４５】
このように、積層方向の加圧に応じた第３層体３３、第４層体３４の復元しようとする動作に応じて、第３層体３３、第４層体３４が貼付された第１層体３１、第２層体３２も強制的に第３層体３３、第４層体３４の動作に追随する。その結果、積層方向から加えた圧力を取り除いた際に元の水平状態またはそれに近い状態まで早期に戻り易くなる。したがって、その押さえつけた跡が残り難くなり、目地材が重点されたスリットに空間ができにくく、火炎・水・塵・音等の侵入・侵出を防止することができる。
【００４６】
なお、本実施形態では、第１層体３１と第２層体３２と第３層体３３とからなる３層構造の積層目地材、及び第１層体３１と第２層体３２と第３層体３３、第４層体３４からなる４層構造の積層目地材を用いたがこれに限定されず、さらに異なる層を重ねても構わない。もちろん製作費用の面では、第１層体３１と第２層体３２，第３層体３３（さらに、第４層体３４）の３層または４層で構成することが望ましいが、さらに新たな層を層間に挿入したり、積層させても、本願発明の技術的範囲に含まれることは言うまでもない。
【００４７】
（構造とその施工方法）
次に、積層目地材３０が設置されたスリット構造と、その施工方法について説明する。図６（ａ）〜（ｃ）は、積層目地材３０が設置されたスリット構造を施工する順序を示すステップ図であり、（ａ）は床スラブｃが構築された段階を示す第１ステップ図、（ｂ）は床スラブｃ上に積層目地材３０が設置された段階を示す第２ステップ図、（ｃ）は壁体ａと柱部ｄが立ち上がった段階を示す第３ステップ図である。なお便宜上、型枠と鉄筋についてはその図示を省略している。以下、それぞれのステップ図について説明する。
【００４８】
図６（ａ）に示すように、まず床スラブｃが構築される。この床スラブｃ構築にあたっては、所定の鉄筋が組み立てられ、型枠が設置され、コンクリートが打設される、という通常の工程を経て行われる。なお、コンクリート打設後は、その上面が金コテ等で入念に均される。しかしながら、人によって完全に均すことは不可能であり、床スラブ上面ｓには不陸（凹凸面）が残る。
【００４９】
床スラブｃのコンクリートを十分養生した後、図６（ｂ）に示すように、床スラブ上面ｓに積層目地材３０を設置する「目地材設置工程」が実施される。このとき、第２層体３２が下面となるように、つまり床スラブ上面ｓ（積層目地材設置面）と第２層体３２が接触するように積層目地材３０は配置される。これは、第２層体３２の材料が具備する高い弾性によって、床スラブ上面ｓの不陸に追随するためである。なお積層目地材３０は、床スラブ上面ｓに単に載せるだけでも良いが、接着剤やコンクリート釘等を用いて固定することもできる。
【００５０】
床スラブ上面ｓ（積層目地材設置面）に積層目地材３０を設置した後、所定の鉄筋と型枠を組み立て、壁体ａと柱部ｄ（さらに、天井スラブｂを加える場合もある）のコンクリートを打設する「コンクリート打設工程」を実施する。なお縦目地は、前面側（図面手前側）の型枠と背面側（図面奥側）の型枠との間に設置される。このとき床スラブｃは既にコンクリート打設を終えているので「既構築コンクリート構造体」と呼び、これに対して、積層目地材３０を設置した後に構築するものを「新設コンクリート構造体」と呼ぶ。すなわち、本願発明の積層目地材３０は、既構築コンクリート構造体と新設コンクリート構造体との間のスリットｅに設置されるものであって、既構築コンクリート構造体の積層目地材設置面（不陸発生面）に第２層体３２が接触するように、換言すれば第１層体３１の表面が新設コンクリート構造体の型枠面となるように設置されるものである。
【００５１】
最後に、図６（ｃ）に示すように、天井スラブｂのコンクリートを打設して、一連の構造を完成させる。図６（ｃ）では、壁体ａと床スラブｃの間に空間が形成され、さらにこの空間に積層目地材３０が設置されており、このような構造が本願発明の「積層目地材を備えたスリット構造」である。
【００５２】
本実施形態に係る目地材によれば、外部からの圧力により一時的に形状が変形してっも、元の状態に容易に復元することができる。
【００５３】
なお、本発明は、以上に述べた実施の形態に限定されるものではなく、本発明の要旨を逸脱しない範囲内で種々の構成または実施形態を取ることができる。
【符号の説明】
【００５４】
１０      水平スリット
２０      鉛直スリット
３０      積層目地材
３１      第１層体
３２      第２層体
３３      第３層体
３４      第４層体
４０      普通目地材
ａ        壁体
ｂ        天井スラブ
ｃ        床スラブ
ｄ        柱部
ｅ        スリット
ｆ        目地材
ｆ１      第１層体
ｆ２      第２層体
ｓ        床スラブ上面
【図１】
0006703443.tif 000002
【図２】
0006703443.tif 000003
【図３】
0006703443.tif 000004
【図４】
0006703443.tif 000005
【図５】
0006703443.tif 000006
【図６】
0006703443.tif 000007
【図７】
0006703443.tif 000008
【図８】
0006703443.tif 000009